(57)【要約】  【課題】  複数のダイジェストコンテンツを同一画面に表示して再生し、ユーザの趣向に沿った新着コンテンツのダイジェストを提供する。  【解決手段】  コンテンツのダイジェスト生成手段が記述されたダイジェスト管理情報の更新をダジェスト管理情報監視部１３ｂが監視している。このダイジェスト管理情報監視部１３ｂは、データメモリ１４に記憶しているダイジェスト管理情報と、サーバ上に保持されているダイジェスト管理情報とを対比して、ダイジェスト管理情報の更新を判定している。このダイジェスト管理情報が更新されたときに、ダイジェストコンテンツ取得部１３ｃがインターネットを経由してダイジェストをダウンロードし、複数ダイジェストがダイジェストコンテンツ表示部１３ｄに再生される。  【選択図】  図１
2008244746.tif 000002
【特許請求の範囲】
【請求項１】
インターネット上のコンテンツのダイジェストを表示するダイジェストコンテンツ表示装置であって、
ダイジェストの対象となるコンテンツのインターネットサイトを登録するダイジェスト管理情報登録部と、
インターネットサイトのサーバ上に保管されたダイジェスト生成方法が記述されたダイジェスト管理情報の更新を、監視するダイジェスト管理情報監視部と、
ダイジェスト管理情報が更新されたときにインターネットを経由してダイジェストを取得するダジェストコンテンツ取得部と、
該ダイジェストコンテンツ取得部の取得した複数のダイジェストを同一画面に表示するダイジェストコンテンツ表示部と、
を有することを特徴とするダイジェストコンテンツ表示装置。
【請求項２】
前記ダイジェスト管理情報登録部に、ダイジェスト管理情報の保管アドレスを保存することを特徴とする請求項１記載のダイジェストコンテンツ表示装置。
【請求項３】
前記ダイジェストコンテンツ取得部が、ダイジェスト管理情報を取得するとともに、
前記ダイジェスト管理情報監視部が、前記サーバ上に保持されているダイジェスト管理情報と、既に取得しているダイジェスト管理情報とを比較して、
ダイジェスト管理情報のタイムスタンプの更新を監視することを特徴とする請求項１または２のいずれか記載のダイジェストコンテンツ表示装置。
【請求項４】
ダイジェスト管理情報に、ダイジェストの時間長に対する優先度、インターネットサイトあるいはコンテンツへのアクセス頻度から定まる人気度、ユーザが試聴したダイジェストの履歴情報のいずれかを併記し、
前記ダイジェストコンテンツ取得部の取得するダジェストの時間長を、前記併記された情報に応じて、設定可能なことを特徴とする請求項１〜３のいずれか記載のダイジェストコンテンツ表示装置。
【請求項５】
ダイジェスト管理情報に、ユーザが視聴したダイジェストの履歴情報と、コンテンツのジャンルとを併記し、
前記ダイジェストコンテンツ取得部の取得するダイジェストの時間長を、前記併記された両情報の対応に従って、設定可能なことを特徴とする請求項１〜３のいずれか記載のダイジェストコンテンツ表示装置。
【請求項６】
前記ダイジェストコンテンツ表示部が、各ダイジェストの強調度が最大となるピーク時刻を管理し、
各ダイジェストの前記ピーク時刻の重複を回避して表示することを特徴とする請求項１〜５のいずれか記載のダイジェストコンテンツ表示装置。
【請求項７】
前記ダイジェストコンテンツ表示部は、ダイジェスト数に応じた表示領域を有し、
この表示領域順に各ダイジェストを表示することを特徴とする請求項１〜６のいずれか記載のダイジェストコンテンツ表示装置。
【請求項８】
前記各表示領域のサイズを、前記履歴情報に応じて可変可能なことを特徴とする請求項７記載のダイジェストコンテンツ表示装置。
【請求項９】
前記表示領域の表示順を前記人気度に応じて可変可能なことを特徴とする請求項７記載のダイジェストコンテンツ表示装置。
【請求項１０】
コンピュータに読み取り可能な符号で記述され、コンピュータを請求項１〜９のいずれかに記載されたダイジェストコンテンツ表示装置として機能させることを特徴とするダイジェストコンテンツ表示プログラム。
【発明の詳細な説明】
【技術分野】
【０００１】
本発明は、インターネット上に公開された音声、音楽、映像などのコンテンツの更新情報を監視し、該コンテンツの複数ダイジェストを同一画面に表示するコンテンツ表示装置及びそのプログラムに関する。
【背景技術】
【０００２】
現在、インターネット上には、ドキュメントのみならずニュースや映画、ドラマ、音楽などの多種多用なコンテンツが公開され、ユーザのコンテンツを視聴する機会が増加している。ユーザの視聴形態としては、ダイジェストの試聴後に興味を有するコンテンツをダウンロード後あるいはストリーミング再生で視聴することが少なくない。このダイジェストの生成方法としては特許文献１が公知となっている。
【０００３】
この特許文献１では、ダイジェスト生成方法として、基本周波数、パワー、動的特徴量の時間変化特性、またはこれらのフレーム間差分を用いて音声の強調確率と平静確率を算出し、この確率を基に強調状態を判定し、ダイジェストコンテンツを任意の長さに要約している。
【０００４】
また、インターネット上のコンテンツの更新情報を監視し、要約情報を提示するプログラムとして、ＲＳＳリーダと呼ばれるソフトウェアが公知のものとなっている。このＲＳＳリーダは、非特許文献１のインターネットサイトから入手可能となっている。
【０００５】
このＲＳＳリーダは、ＲＳＳで記述された文書の更新情報を監視し、この文書に記述された文字情報を利用して要約情報を表示する。このＲＳＳについては、いくつかのバージョンが存在するが、例えば、ＲＳＳ２．０は、非特許文献２のインターネットサイトにおいて公開されている。
【特許文献１】特許第３８０３３１１号
【特許文献２】特開平０９−５０５２８号
【特許文献３】特開２００２−１５７５９２
【特許文献４】特許第３５６９３９０号
【非特許文献１】”ｇｏｏ  ＲＳＳリーダー”，［Ｏｎｌｉｎｅ］，２００７年３月１２日検索，インターネット＜ＵＲＬ  ：ｈｔｔｐ：／／ｒｅａｄｅｒ．ｇｏｏ．ｎｅ．ｊｐ／＞
【非特許文献２】”ＲＳＳ  ＡＤＶＩＳＯＲＹ  ＢＯＡＲＤ”，２００７年３月１２日検索，インターネットＵＲＬ＜ｈｔｔｐ：／／ｗｗｗ．ｒｓｓｂｏａｒｄ．ｏｒｇ／ｒｓｓ−ｓｐｅｃｉｆｉｃａｔｉｏｎ＞
【非特許文献３】Ｌｉｎｄｅ，Ｙ．，Ｂｕｚｏ，Ａ．，＆  Ｇｒａｙ，Ｒ．Ｍ．Ａｎ  Ａｌｇｏｒｉｔｈｍ  ｆｏｒ  Ｖｅｃｔｏｒ  Ｑｕａｎｔｉｚｅｒ  Ｄｅｓｉｇｎ，ＩＥＥＥ  Ｔｒａｎｓ．Ｃｏｍｍｎ，Ｃｏｍ−２８．８４−９５．
【発明の開示】
【発明が解決しようとする課題】
【０００６】
しかしながら、ユーザは興味を有するコンテンツを探し出すために個々のコンテンツ毎にダイジェストを試聴しなければならない。特に、インターネットサイト上には膨大な量のコンテンツが溢れているため、ユーザの趣向に沿ったコンテンツを探し出すことは容易ではない。
【０００７】
この場合に複数のダイジェストを同時に視聴できれば、ユーザのコンテンツ峻別の手間が緩和されるものの、特許文献１には複数のダイジェストを同一画面で表示する手段は開示されていない。一方、ユーザは、複数のアプリケーションを起動させて複数ダイジェストを試聴可能であるが、インターネット上のコンテンツが更新されたか否かが分からなければ、新着のダイジェストを試聴することができない。
【０００８】
ところが、非特許文献２のＲＳＳリーダでは、テキスト情報や、画像情報を主体としたコンテンツの要約情報は表示できるものの、音声、音楽、映像のコンテンツの要約情報を表示することはできない。
【０００９】
本発明は、上記事情に着目してなされたものであって、複数のダイジェストを同一画面に表示して再生し、さらにユーザの趣向に沿った新着コンテンツのダイジェストを提供することを解決課題としている。
【課題を解決するための手段】
【００１０】
本発明は、前記課題を解決すべく創作された技術的思想であって、請求項１記載の発明は、インターネット上のコンテンツのダイジェストを表示するダイジェストコンテンツ表示装置であって、ダイジェストの対象となるコンテンツのインターネットサイトを登録するダイジェスト管理情報登録部と、インターネットサイトのサーバ上に保管されたダイジェスト生成方法が記述されたダイジェスト管理情報の更新を、監視するダイジェスト管理情報監視部と、ダイジェスト管理情報が更新されたときにインターネットを経由してダイジェストを取得するダジェストコンテンツ取得部と、該ダイジェストコンテンツ取得部の取得した複数のダイジェストを同一画面に表示するダイジェストコンテンツ表示部と、を有することを特徴としている。
【００１１】
したがって、ユーザの趣向に沿った新着ダイジェストを同一画面で視聴することができる。
【００１２】
請求項２記載の発明は、前記ダイジェスト管理情報登録部に、ダイジェスト管理情報の保管アドレスを保存することを特徴としている。
【００１３】
したがって、ユーザが興味を有するインターネットサイト上のコンテンツのみダイジェストを取得することが可能となる。
【００１４】
請求項３記載の発明は、前記ダイジェストコンテンツ取得部が、ダイジェスト管理情報を取得するとともに、前記ダイジェスト管理情報監視部が、前記サーバ上に保持されているダイジェスト管理情報と、既に取得しているダイジェスト管理情報とを比較して、ダイジェスト管理情報のタイムスタンプの更新を監視することを特徴としている。
【００１５】
したがって、ダイジェスト管理情報登録部を起動させておくだけで、特別の作業をすることなく、新着のダイジェストコンテンツが取得される。
【００１６】
請求項４記載の発明は、ダイジェスト管理情報に、ダイジェストの時間長に対する優先度、インターネットサイトあるいはコンテンツへのアクセス頻度から定まる人気度、ユーザが試聴したダイジェストの履歴情報のいずれかを併記し、前記ダイジェストコンテンツ取得部の取得するダジェストの時間長を、前記併記された情報に応じて、設定可能なことを特徴としている。
【００１７】
この発明の一態様としては、サーバ管理者やユーザが予め指定した時間長のダイジェストを取得する形態が挙げられる。また、他の態様としては、インターネットサイト・コンテンツの人気度や、ユーザの視聴履歴を反映した時間長のダイジェストを取得する形態が挙げられる。したがって、例えば人気の高いコンテンツは長めのダイジェストを取得する一方、人気の低いコンテンツは短めのダイジェストを取得することができる。また、ユーザの視聴履歴が新着コンテンツのサイトと一致する場合に長めのダイジェストを取得することもできる。
【００１８】
請求項５記載の発明は、ダイジェスト管理情報に、ユーザが視聴したダイジェストの履歴情報と、コンテンツのジャンルとを併記し、前記ダイジェストコンテンツ取得部の取得するダイジェストの時間長を、前記併記された両情報の対応に従って、設定可能なことを特徴としている。
【００１９】
したがって、ユーザの視聴履歴に応じたジャンルの場合には、長めのダイジェストを取得することができる。
【００２０】
請求項６記載の発明は、前記ダイジェストコンテンツ表示部が、各ダイジェストの音量のピーク時間を管理し、各ダイジェストの前記ピーク時間の重複を回避して表示することを特徴としている。
【００２１】
したがって、ユーザは、各ダイジェストの見所を見逃すことなく、試聴することができる。
【００２２】
請求項７記載の発明は、前記ダイジェストコンテンツ表示部は、ダイジェスト数に応じた表示領域を有し、この表示領域順に各ダイジェストを表示することを特徴としている。
【００２３】
この表示領域は、すべて同一画面に同時に表示してもよく、表示数を適宜に変化させることもでき、奥行を感じさせるように配置してもよい。また、前記表示領域順にダイジェストを順次あるいは同時に表示（例えば再生）してもよい。
【００２４】
請求項８記載の発明は、前記各表示領域のサイズを、前記履歴情報に応じて可変可能なことを特徴としている。
【００２５】
したがって、ユーザは、自己の視聴履歴に沿ったコンテンツのダイジェストを大きなサイズで表示して視聴することができる。
【００２６】
請求項９記載の発明は、前記表示領域の表示順を前記人気度に応じて可変可能なことを特徴としている。
【００２７】
したがって、各ダイジェストを人気度の順に表示してもよく、反対に人気度の低い順に表示してもよい。
【００２８】
請求項１０記載の発明は、コンピュータに読み取り可能な符号で記述され、コンピュータを請求項１〜９のいずれかに記載されたダイジェストコンテンツ表示装置として機能させることを特徴としている。
【発明の効果】
【００２９】
請求項１〜１０記載の発明によれば、ユーザの趣向に沿ったコンテンツのダイジェストを同一画面で視聴可能なため、興味を有するコンテンツを効率よく探し出すことができる。
【００３０】
特に、請求項３記載の発明によれば、特別の作業を要することなく、新着のダイジェストをリアルタイムに視聴できる。
【００３１】
請求項４，５記載の発明によれば、予め指定した時間長のダイジェストや、コンテンツなどの人気度、コンテンツのジャンル、あるいはユーザの視聴履歴を反映したダイジェストを視聴することができる。
【００３２】
請求項６記載の発明によれば、各ダイジェストの見所を万遍なく、試聴することができる。
【００３３】
請求項８，９記載の発明によれば、コンテンツなど人気度やユーザの視聴履歴を反映した表示順・表示サイズでダイジェストを試聴することができる。
【発明を実施するための最良の形態】
【００３４】
以下、図面に基づき本発明の実施形態を詳述する。この実施形態に係るダイジェストコンテンツ表示装置は、複数のダイジェストコンテンツを同一画面に表示して再生し、さらにインターネットサイト、コンテンツのジャンル、ユーザの視聴履歴などに対応して、更新があったときに取得するダイジェストコンテンツを決定している。
【００３５】
すなわち、前記表示装置によれば、（１）第１の手段として、ダイジェスト対象となるインターネットサイトを登録し、（２）第２の手段として、インターネットで接続されたサーバ上に保管されたダイジェスト管理情報のタイムスタンプを監視し、（３）第３の手段として、インターネットサイトのコンテンツのダイジェスト管理情報と、優先ダイジェスト、またはインターネットサイトの人気度、コンテンツのジャンル、ユーザの視聴履歴のいずれかに対応したダイジェスト時間長のダイジェストコンテンツを受信する。
【００３６】
なお、本発明の実施形態においてコンテンツとは特に断りのない限り映像、音声、音楽を示し、また、ダイジェストコンテンツは、前記コンテンツのダイジェスト（要約）を示している。
（１）第１実施形態
図１〜図７は、本発明の第１実施形態に係るダイジェストコンテンツ表示装置に関し、この表示装置は、図１の構成図に示すように、中央処理ユニット（ＣＰＵ：Ｃｅｎｔｒａｌ  Ｐｒｏｃｅｓｓｉｎｇ  Ｕｎｉｔ）１１を備える。このＣＰＵ１１には、バス１２を介してプログラムメモリ１３、データメモリ１４、通信インターフェース（通信Ｉ／Ｆ）１５がそれぞれ接続されている。プログラムメモリ１３には、ダイジェスト管理情報登録部１３ａ、ダイジェスト管理情報監視部１３ｂ、ダイジェストコンテンツ取得部１３ｃ、ダイジェストコンテンツ表示部１３ｄが記憶される。データメモリ１４には、ダイジェスト管理情報記憶１４ａ及びダイジェストコンテンツ記憶１４ｂが設けられている。
【００３７】
通信Ｉ／Ｆ１５は、ＣＰＵ１１の制御の下、インターネット上のサーバ及びインターネットサイトとの間で、通信ネットワークにより規定される通信プロトコルに従い通信を行う。通信プロトコルとしては、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）が使用される。
【００３８】
ダイジェスト管理情報登録部１３ａは、インターネットサイトごとに、サイトに含まれるコンテンツのダイジェスト生成方法が記述されたダイジェスト管理情報の保管アドレスを保存する。このことにより、ユーザが興味のあるインターネットサイトのコンテンツについてのみ、ダイジェストコンテンツを取得することが可能となる。例えば、該ユーザがＡ社のホームページのコンテンツをダイジェストで視聴したいときには、Ａ社のホームページのコンテンツのダイジェスト管理情報の保管アドレスを保存すれば、以後Ａ社のホームページで公開されたコンテンツのダイジェストコンテンツを視聴できる。同様に、Ｂ社、Ｃ大学、Ｄコミュニティーサイト、Ｅ映像投稿サイトと登録すれば、前記Ａ〜Ｅのサイトのダイジェストコンテンツを取得できる。
【００３９】
ダイジェスト管理情報については、例えば、コンテンツに付帯する音声を分析することにより、コンテンツを複数区間に分割し、前記分割区間のそれぞれについて優先順位を付与してもよい。この方法を用いれば、前記優先順位の昇順に、前記分割区間を抽出して繋ぎ合わせることで、ダイジェストコンテンツを生成することが可能となる。ダイジェストコンテンツは、分割区間の総数ｎに対して、ｒ区間を抽出する組み合わせと同じ数存在することから、ｎＣｒ通りのダイジェスト時間長（ｒ個の分割区間の総計時間）の生成方法を記述することが可能となる。前記コンテンツの分割方法としては、音声の特性に応じて可変長に分割してもよい。また、前記優先順位の付与方法としては、音声の音声特徴量の組に基づき音声の強調度を算出し、この強調度により優先順位を付与してもよい。音声の特性による可変長の分割方法と、強調度の算出方法については、例えば特許文献１の「音声処理方法及びその方法を使用した装置及びそのプログラム」を用いてもよい。
【００４０】
つぎに、本発明で取得するダイジェスト管理情報について詳述する。このダイジェスト管理情報には、図２に示すように、少なくともタイムスタンプ、コンテンツ名、ダイジェスト生成方法、ダイジェストコンテンツ保管場所が示されている。図２では、コンテンツ名のみ示されているが、例えば、インターネットサイトアドレスが併記してあってもよい。図２に示すように、２００７年１月１７日ＡＭ９：５３にインターネットサイトに公開されたコンテンツ１１１．ｍｐ４について、３０秒、６０秒、ＸＸ秒のダイジェスト時間長のダイジェストコンテンツを生成する方法が示されている。シーン情報には、シーンの開始時刻と終了時刻が示されており、３０秒のダイジェストコンテンツは、２０〜３０秒と、５０〜７０秒の２シーンを抽出して、繋ぎ合わせることにより生成すればよい。生成したダイジェストコンテンツがある場合は、ダイジェストコンテンツ保管場所［ｈｔｔｐ：／／ｗｗｗ．ａａａ．ｃｏ．ｊｐ／ｄｄｄ／３０．ｍｐ４］からダウンロードすればよい。優先的なダイジェストコンテンツについては、優先欄に○を記しておくなどすればよい。ここで、優先とは、インターネットサイトの運用者が指定してもよく、サーバ運用者が指定してもよい。もしくは、ユーザが、ダイジェスト登録部において、「優先ダイジェスト時間長はＹＹ秒とする」と設定してもよい。あるいは、「優先ダイジェストをＺＺ率とする」と設定してもよい。設定はインターネットサイトごとでもよく、登録する全てのインターネットサイトを所定の時間長、または率としてもよい。この際、ダイジェスト管理情報の優先欄に、例えば３０秒のダイジェストコンテンツとされていても、ユーザの希望するＹＹ秒のほうを優先するとしてもよい。また、ＹＹ秒のダイジェストコンテンツについて、ダイジェスト管理情報に記述がない場合、最も時間差の少ないダイジェスト時間長のダイジェストコンテンツを優先とするなど代用してもよい。ＺＺ率についても、ダイジェスト時間長に換算し、前述と同様に代用すればよい。
【００４１】
ダイジェスト管理情報の別の形態として、図３に示す内容のものでもよい。この形態では、各ダイジェスト時間長の生成方法が記されているわけではなく、シーンの優先順位が順位欄に付与されていることを特徴とする。例えば、第３位までのシーンは、２０〜３０秒、５０〜７０秒、３５秒〜４０秒となる。ダイジェストコンテンツは、コンテンツの保管場所を参照し、映像ファイルを２０〜３０秒、５０〜７０秒、３５秒〜４０秒の時系列順に再生すればよい。再生は、コンテンツをダウンロードして当該箇所のみ再生してもよく、当該箇所のみストリーミング再生するものでもよい。前述の例では、このダイジェスト時間長は、３５秒となるが、ユーザが指定したＹＹ秒となるまで、優先順位の昇順にシーンを抽出し、抽出シーンを時系列順に再生するなどしてもよい。また、図２と同様に、優先シーンについて予め付与しておいてもよい。この場合の付与は、インターネット運用者、もしくはサイト運用者によるもととしてもよい。
【００４２】
前記シーンの優先順位付与方法について図４を参照しながら、詳述する。コンテンツの音声を対象に、ステップＳ１で音声特徴量を抽出し、ステップＳ２で音声特徴量ベクトルが強調音声となる確率、平静音声となる確率を、データベースＤ１で強調確率テーブルを参照して求め、さらに強調度を算出する。
【００４３】
ここで、音声特徴量は、基本周波数、パワー、これらの時間差分、動的尺度の時間変化特性の何れか一つ以上を用いる。ステップＳ２では、前記音声特徴量をベクトル量子化する。ベクトル量子化は、例えば、ＬＢＧ法を用いてもよい。ＬＢＧ法については非特許文献３により公知の技術となっている。強調確率、平静確率の分析区間ＸがフレームＬから構成されるとき、各フレームの音声特徴量をベクトル量子化することでＬ個のコード（Ｃ１、Ｃ２、．．，Ｃｆ，．．．，ＣＬ）が得られる。強調確率テーブルには、任意のコードの強調確率と平静確率が示されており、この値を参照して、例えば、フレームｆのフレーム強調確率Ｐｅ（ｆ）とフレーム平静確率Ｐｎ（ｆ）を算出する。全フレームのフレーム強調確率、フレーム平静確率について積または和または平均を、それぞれ分析区間Ｘの強調確率［Ｐｅｍｐ］、平静確率［Ｐｎｒｍ］とする。強調度は、これらの確率値を用いて、確率比［Ｐｅｍｐ／Ｐｎｒｍ］、確率差［Ｐｅｍｐ−Ｐｎｒｍ］などにより求めればよい。あるいは、フレーム数Ｌを用いて［（Ｐｅｍｐ−Ｐｎｒｍ）／Ｌ、ｌｏｇ（Ｐｅｍｐ−Ｐｎｒｍ）／Ｌ］などにより求めてもよい。
【００４４】
ステップＳ３の音声段落は、例えば、音声の有声無声判定を行い、無声区間がｄ以上連続する区間で囲まれる区間を音声段落とする。例えば、ｄ＝１秒として抽出してもよい。
【００４５】
音声段落区間中に強調度分析区間が複数存在する場合、最大の強調度を音声段落の強調度とする。一方、一つの強調度分析区間しかない場合はその値を音声段落の強調度とすればよい。全ての音声段落について、強調度の降順にステップＳ４で優先順位を付与する。図２及び３のダイジェスト管理情報のシーン欄には、前記音声段落の開始時刻と、終了時刻を記述すればよい。また、図３の順位欄は、強調度の降順に付与された図４のステップＳ４の優先順位を記述すればよい。また、図２及び図３のシーン欄には、シーンの開始時刻と終了時刻に併せて、最大の強調度となる時刻を併記しておいてもよい。最大の強調度を併記しておくことにより、後述する見所が重ならないように複数のダイジェストコンテンツを同時再生することが可能となる。
【００４６】
強調度の算出方法については、基本周波数、パワー、これらの時間差分、動的尺度の時間変化特性の何れか一つ以上を音声特徴量とし、例えば、基本周波数の高い／低い、パワーの大きい／小さい、基本周波数又はパワーの時間差分の大きい／小さい、動的尺度の時間変化特性が多い／少ない度合いを、強調度としてもよい。例えば、当該フレームの基本周波数値／全フレームの基本周波数の平均値を強調度と定義してもよい。または、当該フレームの基本周波数値／当該音声段落のフレームの基本周波数の平均値を強調度としてもよい。パワー、これらの時間差分、動的尺度の時間変化特性についても、同様に、全フレームの当該音声特徴量平均値又は当該音声段落のフレームの当該音声特徴量の平均値を用いて強調度を算出してもよい。例えば、基本周波数だけで強調度を求めてもよく、基本周波数、パワーから強調度を算出するために、これらを加算、乗算、平均などを求めることにより、強調度を算出するなど前記音声特徴量の二つ以上を用いて算出するものでもよい。
【００４７】
さらに、強調度は、画像処理によって求めるものでもよい。例えば、人物やテロップが存在するフレームが重要であるとして強調度を算出してもよい。人物が存在しているか否かは、顔領域を検出する方法などを応用する。例えば、特許文献２．３などの公知の技術により、顔画像が存在するフレームを、人物が存在するフレームとすればよい。テロップについては、特許文献４の公知の技術により、テロップが出現するフレームを抽出すればよい。人物の人数、及びテロップの出現に応じてスコア化して強調度としてもよい。または、前述の音声信号を利用した強調度算出と併用してもよい。例えば、音声信号による強調度に、前述の人物の人数、及びテロップの出現から算出したスコアを重み付けして強調度としてもよい。
【００４８】
これまで述べてきたダイジェスト管理情報を、ダイジェスト管理情報監視部１３ｂで、そのタイムスタンプを監視する。図２及び図３のタイムスタンプ欄に着目し、ダイジェスト管理情報記憶１４ａに保存されているダイジェスト管理情報のタイムスタンプとサーバに保存されているダイジェスト管理情報のタイムスタンプを比較し、更新されているか否かを判断する。これにより、ユーザが興味のあるインターネットサイトに新着コンテンツが公開されているか否かを自動的に判定することが可能となる。したがって、ダイジェスト管理情報登録部１３ａを起動させておくだけで、特別の作業をすることなく、ユーザは新着のダイジェストコンテンツを取得してリアルタイムに視聴することができる。
【００４９】
ダイジェストコンテンツ取得部１３ｃは、前記ダイジェスト管理情報監視部１３ｂでタイムスタンプが更新されている場合に、ダイジェストコンテンツを取得する。この取得手段の最も基本的な例は、図２に示される優先ダイジェストコンテンツをダウンロードする形態である。また、ユーザが指定する前記ＹＹ秒、ＺＺ率のダイジェスト時間長のダイジェストコンテンツを対象にしてもよい。その際は、ダイジェストコンテンツ取得部１３ｃの入力として、ダイジェスト時間長があってもよい。ダイジェストコンテンツ取得部はダイジェスト管理情報とダイジェストコンテンツをダウンロードし、データメモリ１４のダイジェスト管理情報記憶１４ａとダイジェストコンテンツ記憶１４ｂにそれぞれ格納する。
【００５０】
ダイジェストコンテンツ表示部１３ｄは、ダイジェストコンテンツ記憶１４ｂに記憶した、複数の前記ダイジェストコンテンツを同一画面上に表示する。図５に、ダイジェストコンテンツを表示している例を示す。図には、８つのダイジェストコンテンツに関する表示領域ｄ１−ｄ８が示されている。表示させる数は、ダイジェストコンテンツ表示部で設定すればよく、例えば、「ｐ領域表示させる」などユーザに指定させてもよい。あるいは、表示されたダイジェストコンテンツのダイジェスト時間の合計ｔｚをユーザが設定してもよい。この表示領域数ｐ、合計ダイジェスト時間ｔｚは、ダイジェスト表示部１４ｄで設定するようにしてもよい。ここで、ダイジェスト表示部１３ｄでダイジェストコンテンツを表示中に、当該インターネットサイトに新着コンテンツが公開された場合においても、前記ダイジェスト管理情報監視部１３ｂにより、更新されたダイジェスト管理情報をもとに、例えば図５のダイジェストコンテンツも更新される。この点でダイジェスト表示部１３ｄには、常に最新のダイジェストコンテンツが表示される。
【００５１】
各ダイジェストコンテンツの表示領域については、図６を参照しながら述べる。ｄ１０１は、ダイジェストコンテンツを表示する画面、ｄ１０２はダイジェスト位置、ｄ１０３はダイジェスト率を示している。ダイジェスト位置ｄ１０２については、再生するシーンの開始時刻、終了時刻が図２及び図３のシーン欄から既知であるためその位置を示せばよい。全長はコンテンツを分析して求めてもよく、図２及び図３の最終シーン時刻としてもよい。ｄ１０３のダイジェスト率は、ダイジェスト時間長／全長×１００で算出すればよい。図５では、表示領域ｄ１、ｄ２、ｄ３、ｄ４、ｄ５、ｄ６、ｄ７、ｄ８の表示領域の順に、順次ダイジェストコンテンツが再生される。また、各表示領域内の任意の箇所をマウスなどのポインティングデバイスによりクリックした場合、コンテンツが公開されたインターネットサイトにジャンプしてもよい。これにより、ユーザは、ダイジェストコンテンツを視聴した後、興味がある場合には、インターネットサイトを訪問するなどの使い方が行える。一方、興味のないコンテンツかどうかは、ダイジェストコンテンツを視聴するだけで判断できる。これらにより、冗長なコンテンツを全て視聴する手間が省け、見たいコンテンツには短時間でたどりつけるという、効率のよい視聴方法が実現できる。
【００５２】
図５では、８つのダイジェストコンテンツを表示していたが、例えば、表示したいダイジェストコンテンツが総計２０で、ユーザが、「８領域を一画面に表示」、と指定していた場合、８つ、８つ、２つの順にダイジェストコンテンツ表示画面を順次更新すればよい。あるいは、ユーザの指定した領域よりも上回る場合は、全て同一画面に表示するなどにしてもよい。どのように表示するかは、前述の表示領域数ｐと同様、ダイジェストコンテンツ表示部１３ｄで設定できるようにしておけばよい。また、図５では、奥行きを感じさせるよう円形にダイジェストコンテンツを配置している。例えば、表示ダイジェストコンテンツを同時に再生し、各ダイジェストコンテンツの音源を操作するなどの方法を用いてもよい。ここでは図７に示すように、ダイジェストコンテンツの配置位置が、前面から後面にいくにつれ、ボリュームが小さくなるよう設定し、右から左に行くにつれ、Ｌ（Ｌｅｆｔ）．Ｒ（Ｒｉｇｈｔ）チャンネルをＲ寄りからＬ寄りに変化させるよう設定してもよい。図７には、表示領域ｄ１〜ｄ８のボリューム及びＬ．Ｒの片寄り度合いを×印で示している。例えば、ｄ１の場合、ＬＲの片寄りは一切なく、ボリュームは８つのダイジェストコンテンツで最も大きい様子を示している。一方、ｄ３は、Ｒに片寄っていて、ボリュームは全体の中間レベルである様子を示している。これにより、ステレオ再生した場合は、音響的にも、図５と同様に、奥行きを感じながら聴取することが可能となる。さらに、スピーカーの数を増やせば、ダイジェストコンテンツに囲まれている臨場感を、ユーザに与えることが可能となる。
【００５３】
図８〜図１１は、前記表示装置で複数のダイジェストコンテンツを同時に再生する他例を示している。前述の同時再生法は、各ダイジェストコンテンツを同時に再生するので、強調度が最大となる時刻（ピーク）が重なり、ひとつのコンテンツに注意を集中していると、他のコンテンツの最大の見所を逸するおそれがある。そこで、図８〜図１１では、ピークが重ならないように複数のダイジェストコンテンツを再生し、すべてのコンテンツの見所を万遍なく見られるようにしている。
【００５４】
まず、図８に示すように、ダイジェストコンテンツＡ〜Ｃを同時に再生するとき、最大長のダイジェストコンテンツにあわせたピークバッファを用意し、ピークの時刻を管理する。ダイジェストコンテンツＡ〜Ｃの（長さ、ピーク時刻）を、それぞれ（５、３）（１０、１５）（１０、５）とすると、最大長はＢの１５となる。図では、ピークの位置を○で表示している。ピークバッファは、ダイジェストコンテンツを再生するときに、そのピークの位置を記録する。そのとき、すでに同じ位置に他のダイジェストコンテンツのピークが記録されていれば、ピークが重ならないように時間をずらして再生する。
【００５５】
たとえば、図９（ａ）のようにダイジェストコンテンツＡ〜Ｃを再生すると、ダイジェストコンテンツＣを３回目に再生しようとするときに、ピークバッファを参照すると、ダイジェストコンテンツＢのピークと重なってしまう（図中の矢印の位置）。そこで、図９（ｂ）のように、ピークバッファ上でピークが重ならない位置までダイジェストコンテンツＣの再生を遅らせる。以上の手順は、次のようにして実現できる。
【００５６】
現在の時刻をｔ、ピークの時刻をｐ、ピークバッファの長さをＬとすると、ピークバッファ上にマッピングされるピークの位置ｐ’は、次の数式を用いて計算できる。
【００５７】
【数１】
2008244746.tif 000003
【００５８】
ただし、Ａ  ｍｏｄ  Ｂは、ＡをＢで割った余り（剰余）である。
【００５９】
そして、図１０のフローのように、ピークバッファ上を、ｐ’から順に調べ空いている場所を探して、再生までの待ち時間ｉを求める。ダイジェストコンテンツの再生が終了したら、ピークバッファ上の自分のピークを削除する。このように、すべてのダイジェストコンテンツを繰り返し再生するときに、ピークバッファを調べるようにすれば、ピークは重ないようにできる。したがって、ユーザは各ダイジェストの見所を万遍なく、視聴することができる。このとき同時再生するコンテンツが多く、ピークバッファ上に空きがない場合は、ピークバッファ長を長くすればよい。
【００６０】
あるいは、図１１に示すように、再生してもよい。第１回目の再生時の見所▽が表示領域ｄ１、ｄ２、ｄ３、ｄ４、ｄ５、．．．の順に連続して出現するように配置して同時再生する。図１１では、繰り返し再生する様子を示しているが、各ダイジェストコンテンツは第１回目の再生が終了した段階で再生を停止してもよい。図１０では、最もインパクトのある第１回目の再生時において、見所箇所を連続的に聴取できるようにしている。また、各ダイジェストコンテンツを繰り返し再生しない場合は、見所を連続的に視聴しながら、どのダイジェストコンテンツを見終わったかについてもユーザは同時に理解できる効果がある。これらの見所をずらして同時再生する方法に、前述の音源操作、すなわち、図７で述べた方法を併用してもよい。
【００６１】
これまで、ダイジェストコンテンツ表示部１３ｄでは、図５に示すように、奥行きを感じるよう表示領域ｄ１〜ｄ８を配置してきた。本発明では、これに限定するものではなく、例えば、図１２のように、上下左右に並べて表示してもよい。
【００６２】
また、これまでコンテンツは映像、音声、音楽のいずれかとしてきたが、これらが含まれない場合についても述べる。例えば、静止画がある場合は前記画面ｄ１０１に表示してもよく、テキストしかない場合は前記画面ｄ１０１にテキストを表示してもよい。あるいは画像とテキストがある場合には、何れも表示してもよい。コンテンツの他にテキストもある場合には、ダイジェストコンテンツとテキストをどちらも前記画面ｄ１０１に表示してもよいものとする。
（２）第２実施形態
本発明の第２実施形態は、第１実施形態の基本的な前記表示装置にユーザの視聴履歴を反映したダイジェストコンテンツを表示させる装置に関する。
【００６３】
この第２実施形態に係る前記表示装置の構成図は、図１と同様であるが、ダイジェストコンテンツ取得部１３ｃとダイジェスト管理情報部１４ａが異なっている。
【００６４】
すなわち、ダイジェスト管理情報部１４ａには、第１実施形態で述べたダイジェスト管理情報の代わりに、ユーザのこれまでの視聴履歴を反映したダイジェスト管理情報を記憶している。
【００６５】
図１３に、図２のダイジェスト管理情報にユーザ履歴を反映したもの例を示す。例えば、ダイジェストコンテンツを、実際にユーザが視聴したかを○×出示している。更に、ダイジェストコンテンツ表示部１３ｄで、図６に示すダイジェストコンテンツ領域内をマウスなどのポインティングデバイスを用いてクリックし、コンテンツが公開されたインターネットサイトにアクセスしたかを○×で示している。
【００６６】
ダイジェストコンテンツ取得部１３ｃは、サーバのダイジェスト管理情報が、例えば、図１４に示すものに更新されたとき、新着の１１２．ｍｐ４のコンテンツのインターネットサイトと、図１３の視聴履歴反映版のダイジェスト管理情報を比較する。例えば、図１３において、ダイジェストコンテンツを視聴して、かつ、インターネットサイトへアクセスした１１１．ｍｐ４と同じサイトであった場合は、優先ダイジェストコンテンツよりも長めの６０秒版をダウンロードする。すなわち、過去にユーザが興味を持っているか否かを、過去のダイジェストコンテンツの視聴の可否、及びインターネットサイトへのアクセス履歴から判断する。したがって、ユーザは新着コンテンツのダイジェストコンテンツを、リアルタイムに視聴することができる。ここでは例えば、図１３で示した視聴履歴で、ダイジェストコンテンツを視聴／未視聴でダイジェスト時間長＋１／−１、インターネットサイトへアクセス／未アクセスで＋１／−１シーンが増減するようなダイジェスト時間長としてもよい。これにより、ユーザの興味に対応したダイジェスト時間長を自動設定可能となる。ここでは、ダイジェスト時間長を変化させることについて述べてきたが、例えば、過去の視聴履歴を鑑みて、図５及び図１２の各ダイジェストコンテンツの表示領域のサイズを可変にするなどに応用してもよい。例えば、図１３で示した視聴履歴で、ダイジェストコンテンツを視聴／未視聴でダイジェスト時間長＋ｍ／−ｍ平方ピクセル、インターネットサイトへアクセス／未アクセスで＋ｍ／−ｍピクセル増減するようなダイジェスト表示サイズとしてもよい。
【００６７】
なお、これまではサーバのダイジェスト管理情報を、図２及び図３のものとしてきたが、例えば、コンテンツ名にコンテンツのジャンルが併記されている場合には、更に以下の形態が実施できる。図１２に示す視聴履歴と、コンテンツのジャンルの関係を対応付け、ユーザが、例えば、「動物」「家族」のジャンルに興味を持っていると類推し、当該ジャンルのコンテンツの場合、ダイジェスト時間長を、前述同様長めのものを自動的にダウンロード対象とする。
（３）第３実施形態
本発明の第３実施形態は、第１実施形態の基本的な前記表示装置に、インターネットサイトごとの人気度を反映したダイジェストコンテンツを表示させる装置に関する。
【００６８】
すなわち、図２及び図３で示したダイジェスト管理情報に、更にインターネットサイト及び／またはコンテンツの人気度を追記した場合、前記人気度合いによって、図５の表示順を変化させている。例えば、図５では、右回りに表示領域ｄ１，ｄ２，ｄ３，ｄ４，ｄ５，ｄ６，ｄ７，ｄ８の順に表示されているが、人気度合いが表示領域ｄ３，ｄ１，ｄ２，ｄ８，ｄ４，ｄ６，ｄ７，ｄ５の順の場合、それに対応した順番に表示した状態を初期状態としてダイジェスト再生する。逆に、人気のない順に、表示領域ｄ５，ｄ７，ｄ４，ｄ８，ｄ２，ｄ１，ｄ３と再生してもよい。この場合に再生するダイジェスト時間長を人気度合いと対応させてもよい。
【００６９】
例えば、人気のあるサイトは比較的長めに、人気のないサイトは比較的短めにダイジェスト時間長を前記ダイジェスト管理情報から選択してもよい。再生は、前述の順次、同時、音源操作あり／なしいずれでもよい。人気度については、サーバ側でインターネットサイトへのアクセス履歴を保存しておけばよく、例えば、図５に示すダイジェストコンテンツ表示領域をマウスなどのデバイスでクリックしてインターネットサイトにジャンプする際に、サーバを経由するよう予めダイジェストコンテンツ表示部１３ｄを設計しておけば、サーバ側で全ユーザのアクセス集計が行える。
【００７０】
この集計結果から、より訪れているインターネットサイトを人気のサイトとしてもよい。また、別の人気集計の方法としては、既に世の中にあるインターネットサイト人気ラインキングなどが掲載されたページをダイジェストコンテンツ表示部１３ｄが参照し、ランキングに対応して、表示位置を変更するなどしてもよい。
【００７１】
なお、本発明は、コンピュータを、前記プログラムメモリ１３のダイジェスト管理情報登録部１３ａ，ダイジェスト管理情報監視部１３ｂ，ダイジェストコンテンツ取得部１３ｃ，ダイジェストコンテンツ１３ｄ．及び前記データメモリ１４のダイジェスト管理情報記憶１４ａ，ダイジェストコンテンツ記憶１４ｂとして機能させるプログラムとして構築することもできる。
【００７２】
この場合には、プログラムコードを記憶させた記録媒体を、ダイジェストコンテンツ表示装置に供給し、ＣＰＵ１１が記録媒体に格納されたプログラムコードを読み出し実行することによっても実現することができる。
【００７３】
すなわち、記録媒体から読み出されたプログラムコード自体が、前記各実施形態の機能を実現し、そのプログラムコードは、例えばＣＤ−ＲＯＭ，ＤＶＤ−ＲＯＭ，ＣＤ−Ｒ，ＣＤ−ＲＷ，ＭＯ，ＨＤＤなどに記憶される。また、前記プログラムをインターネットサイトからダウンロードして、前記各実施形態の機能を実現させてもよい。
【図面の簡単な説明】
【００７４】
【図１】本発明の第１実施形態に係るダイジェストコンテンツ表示装置の構成図
【図２】同ダイジェスト管理情報の一例図
【図３】同ダイジェスト管理情報の別形態一例図。
【図４】同シーンの優先順位付与方法を示すチャート図
【図５】同ダイジェストコンテンツ表示部の表示領域の配置を示す正面図。
【図６】同表示領域の拡大図。
【図７】同ダイジェストコンテンツを音源操作して再生する模式図
【図８】同ピークバッファを用意したピーク時刻の管理図。
【図９】（ａ）はダイジェストコンテンツＢ．Ｃのピーク時刻を重複した状態を示す再生図、（ｂ）はダイジェストコンテンツＣのピーク時刻を遅らせた状態を示す再生図。
【図１０】図９（ｂ）のチャート図。
【図１１】各ダイジェストコンテンツのピーク時刻を連続的に配置する再生図。
【図１２】前記表示領域の他の配置を示す正面図。
【図１３】本発明の第２実施形態に係るダジェストコンテンツ表示装置のダイジェスト管理情報の一例図。
【図１４】同ダイジェスト管理情報が更新された状態を示す一例図。
【符号の説明】
【００７５】
１３ａ…ダイジェスト管理情報登録部
１３ｂ…ダイジェスト管理情報監視部
１３ｃ…ダイジェストコンテンツ取得部
１３ｄ…ダイジェストコンテンツ表示部
ｄ１〜ｄ８…表示領域
【図１】
2008244746.tif 000004
【図２】
2008244746.tif 000005
【図３】
2008244746.tif 000006
【図４】
2008244746.tif 000007
【図５】
2008244746.tif 000008
【図６】
2008244746.tif 000009
【図７】
2008244746.tif 000010
【図８】
2008244746.tif 000011
【図９】
2008244746.tif 000012
【図１０】
2008244746.tif 000013
【図１１】
2008244746.tif 000014
【図１２】
2008244746.tif 000015
【図１３】
2008244746.tif 000016
【図１４】
2008244746.tif 000017